(57)【要約】【課題】粘度の長期安定性とより高い増粘効果を有したアクリレート会合型の増粘剤とその化粧品を提供する。【解決手段】以下の化学構造を有したことを特徴とする増粘剤。2009029847.tif 000024上記増粘剤を含むことを特徴とする化粧料である。【選択図】なし【特許請求の範囲】
【請求項１】
以下の化学構造を有したことを特徴とする増粘剤。
2009029847.tif 000023
【請求項２】
請求項１記載の増粘剤を含むことを特徴とする化粧料。
【請求項３】
前記増粘剤は、整髪料、毛染め液、又は洗剤に含まれる請求項２記載の化粧料。
【発明の詳細な説明】
【技術分野】
【０００１】
この発明は、液体の粘性を高めるためて使用性を向上させるために用いられる増粘剤とそれを用いた化粧料に関する。
【背景技術】
【０００２】
従来、化粧品の各種処方では、適切なポリマーや界面活性剤による増粘あるいはゲル化が必要である。しかし、界面活性剤の添加によって増粘効果を得ることは、コストの増加や皮膚への刺激性を高めると言う問題がある。
【０００３】
そこで、化粧品には各種の高分子増粘剤が使用されている。例えば、HEC（ヒドロキシエチルセルロース）,HPC（ヒドロキシプロピルセルロース）,CMC（カルボキシメチルセルロース）,キサンタンガム、アルギン酸塩、グアガム、カラギーナン等の天然高分子材料が、医薬品、医薬部外品、化粧品に多く用いられている。これらの原料の欠点は、分子量、粘度その他の基本的物性の再現性が困難であることや、微生物とのコンタミネーション、酸化や加水分解による水溶液中での不安定、増燃効果が相対的に弱いことであった。
【０００４】
また、単に粘度を上げるだけでなく、チキソトロピック性を調整できることなど、様々の流動性をもつ商品を開発するため合成高分子増粘剤の必要性が高まっている。
【０００５】
近年、高い分子量のアクリル酸系水溶性高分子に比較的大きな疎水性基をグラフトさせた増粘剤である会合型増粘剤が普及している。代表的なものとして（アクリル酸アルキル・メタクリル酸ステアレス−２０）コポリマーがある。この増粘剤はエマルジョンであるが、アルカリを添加してｐH７以上で増粘してクリアなジェルを作ることができる。また、グラフトされている側鎖の疎水基が溶液中の界面活性剤、その他の疎水性成分と会合して３次元網目を形成するため、少量の添加量でたいへん高い増粘効果を得ることができる。
【特許文献１】特開平９−２７２７９６号公報
【発明の開示】
【発明が解決しようとする課題】
【０００６】
しかしながら、この構造の高分子は弱酸性領域での会合性増粘や溶液の長期安定性を実現するには分子量、親水性・疎水性のバランスを最適化する必要があり、理想的な化学構造にたどりつくのは困難であった。従って、従来の増粘剤では長期（数ヶ月から数年）にわたり安定な溶液やジェルを作るには、処方の制限が大きいものであった。そこで、より安定性に富み、増粘効果の高いアクリレート会合型増粘剤の開発と、その幅広い化粧品への応用が求められた。
【０００７】
この発明は上記背景技術に鑑みてなされたもので、粘度の長期安定性とより高い増粘効果を有したアクリレート会合型の増粘剤とその化粧品を提供することを目的とする。
【課題を解決するための手段】
【０００８】
本願発明者は上記の目的を達成するため、種々のアクリル系モノマーの共重合と種々の長さのオキシエチレンアルキル官能基のグラフトを検討して、新たに以下の構造のメタクリル酸・アルキル酸アルキル共重合体において、最も安定で高い増粘効果が得られるものを見出したものである。
【０００９】
この発明の物質は、(Methyl Acrylate/Methacrylic
Acid/Buthyl Acrylate/Beheneth-25 Methacrylate/Steareth-30 Methacrylate)
Copolymerであり、以下の化学構造式で表される。
【化１】
2009029847.tif 000002
またこの発明は、上記化学構造を有した増粘剤を含む化粧料である。
【００１０】
前記増粘剤は、整髪料、毛染め液、又はシャンプー等の洗剤に含まれるものである。
【発明の効果】
【００１１】
この発明の増粘剤とそれを用いた化粧料は、増粘効果が高く、数ヶ月から数年の長期にわたる安定性がある溶液やジェルを作ることができるものである。
【実施例１】
【００１２】
次に、この発明の増粘剤について、以下の９種類の試験を行った試験結果を示す。以下の実施例に示すように、本願発明の増粘剤は、十分な長期安定性が確認され、化粧料として利用可能なことが確認された。
【００１３】
１．外観
本願の増粘剤について、外観的に観察し、また固形分を測定し、以下の表１に示す。
【表１】
2009029847.tif 000003
【００１４】
２．ＮａＯＨ添加量と粘度の関係
本願の増粘剤について、以下の表２に示すサンプルに、ｐＨ４．１０〜１２．２４の間の９個のｐＨ値となるように適量のＮａＯＨ（１０％水溶液）を添加し、それぞれのｐＨ値について溶液の粘度を測定し、ＮａＯＨ添加量と粘度の関係について調べた。その結果を図1に示す。なお、粘度の測定はブルックフィールド社製粘度計ＤＶII＋；スピンドル＃６＠２０ｒｐｍで行った。
【００１５】
【表２】
2009029847.tif 000004
【００１６】
３．固形分（ｗｔ%）と粘度の関係
本願の増粘剤について、以下の表３に示す異なる固形分（ｗｔ%）のサンプルＮＯ．１〜ＮＯ．５に、適量のＮａＯＨ（１０%水溶液）を加えてｐＨをほぼ中性にし、各サンプルについてそれぞれ粘度を測定し、固形分（ｗｔ%）と粘度の関係について調べた。その結果を表３と図２に示す。
【００１７】
【表３】
2009029847.tif 000005
【００１８】
４．ＮａＣｌ添加量と粘度の関係
本願の増粘剤について、以下の表４に示すように、所定量のＮａＣｌを加えたサンプルＮＯ．１〜ＮＯ．８の粘度をそれぞれ測定し、耐塩性能の試験を行った。その結果を表４と図３に示す。
【００１９】
【表４】
2009029847.tif 000006
【００２０】
５．凍結・融解サイクルと粘度の関係
本願の増粘剤について、以下の表５に示すサンプルに、表６に示す回数の凍結・融解サイクルを行い、所定回数の凍結・融解サイクルを行ったサンプルについてそれぞれ粘度を測定し、凍結・融解サイクルと粘度の関係について調べた。その結果を、表６と図４に示す。
【００２１】
【表５】
2009029847.tif 000007
【００２２】
【表６】
2009029847.tif 000008
【００２３】
６．分散安定性 
本願の増粘剤について、以下の表７に示すサンプルに、以下の４種類の粉体を分散させて２週間放置して観察し、分散安定性について調べた。室温と５０℃の２種類行った。その結果を、表８に示す。
【００２４】
【表７】
2009029847.tif 000009
粉体＊
1. ホホバ（ロットNo.JBDL06）、植物性粉体
2. リポスパー0258（750ミクロン）、リポ化学薬品社製
3. リポAPS 40/60、リポ化学薬品社製アンズ種粉
4.リポパール0091（1000 〜2800ミクロン）リポ化学薬品製
【００２５】
【表８】
2009029847.tif 000010
【００２６】
７．エタノール添加量と粘度の関係 
本願の増粘剤について、以下の表９に示すように、所定量のエタノールを加えたサンプルＮＯ．１〜ＮＯ．６の粘度をそれぞれ測定し、エタノール添加量と粘度の関係について調べた。その結果を以下の図５に示す。
【００２７】
【表９】
2009029847.tif 000011
【００２８】
８．保湿剤の添加量と粘度の関係 
本願の増粘剤について、以下の表１０、表１１に示すように、所定量の保湿剤を加えたサンプルＮＯ．１〜ＮＯ．１３の粘度をそれぞれ測定し、各種エタノール添加量と粘度の関係について調べた。その結果を以下の表１０、表１１に示す。保湿剤は、グリセリン（ＮＯ．２〜ＮＯ．５）とプロピレングリコール（ＮＯ．６〜ＮＯ．９）、ソルビトール（ＮＯ．１０〜ＮＯ．１３）の３種類について測定した。
【００２９】
【表１０】
2009029847.tif 000012
【００３０】
【表１１】
2009029847.tif 000013
【００３１】
９．中和に必要な中和剤の添加量
本願の増粘剤について、以下の表１２〜表１４に示すように、ｐＨ６、ｐＨ７、ｐＨ８となるように中和剤を添加してサンプルＮＯ．１〜ＮＯ．３とし、ｐＨ６、ｐＨ７、ｐＨ８となるように必要とした中和剤の添加量を調べた。中和剤は、ＮａＯＨ（１０％水溶液）、ＫＯＨ（１０％水溶液）、ＴＥＡ（９９％）の3種類について測定した。その結果を、ＮａＯＨ（１０％水溶液）は以下の表１２に、ＫＯＨ（１０％水溶液）は表１３、ＴＥＡ（９９％）は表１４に示す。
【００３２】
【表１２】
2009029847.tif 000014
【００３３】
【表１３】
2009029847.tif 000015
【００３４】
【表１４】
2009029847.tif 000016
【実施例２】
【００３５】
次に、この発明の増粘剤を使用して製造する毛髪染料の実施例について説明する。この毛髪染料は、染料混合物と基材とを混入させた第１液と、酸化剤である第２液から成る。染料混合物の配合例をＡ，Ｂ２種類、基材の配合例を１種類、酸化剤の配合例をＡ，Ｂ２種類、以下に示す。
【００３６】
【表１５】
2009029847.tif 000017
【００３７】
【表１６】
2009029847.tif 000018
【００３８】
【表１７】
2009029847.tif 000019
【００３９】
【表１８】
2009029847.tif 000020
【００４０】
【表１９】
2009029847.tif 000021
【実施例３】
【００４１】
次に、この発明の増粘剤を使用して製造するボディシャンプーについて説明する。ボディシャンプーは、サンプルＮＯ．１〜ＮＯ．４の４種類の配合比を表２０に記す。サンプルＮＯ．１〜ＮＯ．４についてｐＨと粘度を測定し、表２０に示している。
【００４２】
【表２０】
2009029847.tif 000022
その他、ヘアジェルやトリートメント、化粧乳液等に利用可能である。
【図面の簡単な説明】
【００４３】
【図１】この発明の増粘剤のＮａＯＨ添加量と粘度の関係を示すグラフである。
【図２】この発明の増粘剤の固形分と粘度の関係を示すグラフである。
【図３】この発明の増粘剤のＮａＣｌ添加量と粘度の関係を示すグラフである。
【図４】この発明の増粘剤の凍結・融解サイクルと粘度の関係を示すグラフである。
【図５】この発明の増粘剤のエタノール添加量と粘度の関係を示すグラフである。
【図１】
2009029847.tif 000025
【図２】
2009029847.tif 000026
【図３】
2009029847.tif 000027
【図４】
2009029847.tif 000028
【図５】
2009029847.tif 000029